(57)【要約】【課題】サーキュレータから吹き出した空気を周囲に拡散させることなく効率よく天井付近に到達させることを可能にするサーキュレータ用着脱式送風ガイドを提供する。【解決手段】サーキュレータ１の吹出し口３を内側に開口させた状態でサーキュレータの後端部に着脱可能に取り付けられる後端部２１ａとサーキュレータの吹出し口の内径よりも小さい内径を有する前端部２１ｂとを有するフード部２１と、フード部の前端部に基部２２ａが連続した管状部２２とを一体に有し、サーキュレータから送出される空気を、フード部２１内と管状部２２内とを通して、サーキュレータの吹出し口よりも高い位置で天井に向けて送出するようにガイドする。【選択図】    図３
2014142075.tif 000002
【特許請求の範囲】
【請求項１】
空気を吸い込む吸込み口と空気を吹き出す吹出し口とを有し、前記吸込み口から吹出し口に至る空気流路を内部に有するフレームと、前記吸込み口から吸い込んだ空気を前記空気流路を通して前記吹出し口側に流して前記吹出し口から外部に吹き出す空気流を生じさせる送風機とを備えたサーキュレータに取り付ける送風ガイドであって、
前記サーキュレータの吹出し口の開口面積以上の開口面積を有する開口部を備えた後端部と、前記サーキュレータの吹出し口の開口面積よりも狭い開口面積を有する空気送出口を備えた前端部と、前記後端部と前端部との間をつなぐ周壁部とを有する中空のフード部を具備して、前記サーキュレータの吹出し口を前記フード部の内側に開口させた状態で前記フード部の後端部が前記サーキュレータのフレームに着脱可能に取り付けられるように構成され、
前記フード部の後端部をサーキュレータのフレームに取り付けた状態でサーキュレータを動作させたときに、該サーキュレータの吹出し口から前記フード部内に流入した空気を前記空気送出口を通して外部に送出するように構成されていること、
と特徴とするサーキュレータ用着脱式送風ガイド。
【請求項２】
空気を吸い込む吸込み口と空気を吹き出す吹出し口とを有し、前記吸込み口から吹出し口に至る空気流路を内部に有するフレームと、前記吸込み口から吸い込んだ空気を前記空気流路を通して前記吹出し口側に流して前記吹出し口から外部に吹き出す空気流を生じさせる送風機とを備えたサーキュレータに取り付ける送風ガイドであって、
前記サーキュレータの吹出し口の開口面積以上の開口面積を有する開口部を備えた後端部と、前記サーキュレータの吹出し口の開口面積よりも狭い開口面積を有する空気送出口を備えた前端部と、前記後端部と前端部との間をつなぐ周壁部とを有する中空のフード部と、前記フード部の前端部に連続した基部と該基部から離れた位置で外部に開口する排気口を有する先端部とを有して前記フード部の前端部から前記フード部と反対側に突出して延びる管状部とを具備して、前記サーキュレータの吹出し口を前記フード部の内側に開口させた状態で前記フード部の後端部が前記サーキュレータのフレームに着脱可能に取り付けられるように構成され、
前記フード部の後端部をサーキュレータのフレームに取り付けた状態でサーキュレータを動作させたときに、該サーキュレータの吹出し口から吹き出した空気を前記フード部内と管状部内とを通して外部に排出するように構成されていること、
と特徴とするサーキュレータ用着脱式送風ガイド。
【請求項３】
前記フード部は、前記サーキュレータが送風を停止しているときにすぼんだ状態になり得るように可撓性を有する材料により形成され、
前記サーキュレータが送風しているときに前記フード部が膨らんだ状態を保持して前記サーキュレータの吹出し口から前記フード部内に流入した空気を前記空気送出口を通して送出するように構成されていること、
を特徴とする請求項１または２に記載のサーキュレータ用着脱式送風ガイド。
【請求項４】
前記可撓性を有する材料は合成樹脂シートである請求項３に記載のサーキュレータ用着脱式送風ガイド。
【請求項５】
前記可撓性を有する材料は織布である請求項３に記載のサーキュレータ用着脱式送風ガイド。
【請求項６】
前記フード部の後端部は、前記サーキュレータのフレームの少なくとも前記吹出し口寄りの部分を外側から囲むことができるように設けられ、
前記フード部の後端部で前記サーキュレータのフレームの少なくとも前記吹出し口寄りの部分を囲んだ状態で前記フード部の後端部がサーキュレータのフレームに緊縛されることにより、前記フード部が前記サーキュレータのフレームに取り付けられることを特徴とする請求項３，４または５に記載のサーキュレータ用着脱式送風ガイド。
【請求項７】
前記フード部の後端部は、前記サーキュレータのフレームの少なくとも前記吹出し口寄りの部分を外側から囲むことができるように設けられ、
前記フード部の後端部は、前記サーキュレータのフレームの少なくとも前記吹出し口寄りの部分を囲んだ状態で配置され、
前記フード部の後端部にフックが取り付けられて、該フックが前記サーキュレータのフレームの吸込み口に引っ掛けられることにより、前記フード部が前記サーキュレータのフレームに固定されることを特徴とする請求項１ないし５のいずれか一つに記載のサーキュレータ用着脱式送風ガイド。
【請求項８】
前記フード部の後端部に、前記サーキュレータのフレームの吹出し口の周辺部に突き当てられる突き当て部が設けられて、該突き当て部にフックが取り付けられ、
前記突き当て部が前記サーキュレータのフレームの吹出し口の周辺部に突き当てられた状態で、前記フックが前記サーキュレータのフレームに設けられた吸込み口に引っ掛けられることにより、前記フード部が前記サーキュレータのフレームに固定されることを特徴とする請求項１ないし５のいずれか一つに記載のサーキュレータ用着脱式送風ガイド。
【請求項９】
通気性を有する材料からなっていて前記サーキュレータの吸込み口の少なくとも一部を覆う状態で前記サーキュレータのフレームを包み込む裾部が前記フード部の後端部に連続して設けられていることを特徴とする請求項３，４または５に記載のサーキュレータ用着脱式送風ガイド。
【請求項１０】
前記裾部の前記フード部と反対側の端部が紐により巾着絞りされることにより前記フード部が前記サーキュレータのフレームに取り付けられることを特徴とする請求項９に記載のサーキュレータ用着脱式送風ガイド。
【請求項１１】
前記フード部は、後端部側から前端部に向うに従って内径が連続的に小さくなっていくように形成され、
前記サーキュレータの吹出し口の径に応じて前記フード部が切断されることにより、前記サーキュレータのフレームに取り付けることができる前記フード部の後端部が形成されることを特徴とする請求項３，４または５に記載のサーキュレータ用着脱式送風ガイド。
【発明の詳細な説明】
【技術分野】
【０００１】
本発明は、室内の空気の循環を図るサーキュレータに取り付ける着脱式の送風ガイドに関するものである。
【背景技術】
【０００２】
室内の温度分布の均一化を図るために、床面に設置されて、室内の空気の循環を図るサーキュレータが用いられている。この種のサーキュレータは、特許文献１に示されているように、空気を吸い込む吸込み口と空気を吹き出す吹出し口とを有し、吸込み口から吹出し口に至る空気流路を内部に有するフレームと、吸込み口から吸い込んだ空気を空気流路を通して吹出し口側に流して吹出し口から外部に吹き出す空気流を生じさせる送風機とを備えている。
【先行技術文献】
【特許文献】
【０００３】
【特許文献１】実用新案登録第３１０４９００号公報
【発明の概要】
【発明が解決しようとする課題】
【０００４】
室内の空気の循環を図る目的で市販されているサーキュレータは、直進性が高い風を送出し得るように工夫されているものが多いが、吹出し口の開口面積が広い上に、吹出し口が床面に近い位置にあるため、吹出し口から吹き出した空気が周囲に拡散するのを防ぐことが困難であった。そのため、サーキュレータから吹き出した空気のすべてを天井まで到達させることは困難であり、吹出し口から吹き出した空気の相当部分が横方向に拡散して流れるのを避けられない。サーキュレータから吹き出した空気が横方向に拡散すると、床面に近い位置にある低温の空気を部屋の上部に移動させた後、床面に向けて下降させる循環作用を効率よく行わせることができないため、室内の温度分布を均一にする効果を十分に得ることができなくなる。特に、冬期には、サーキュレータから吹き出した空気が横方向に拡散することにより、床面付近の冷気がサーキュレータの近くにいる人の体に直接当るため、人に不快感を与えたり、健康を害したりすることがあった。
【０００５】
本発明の目的は、サーキュレータから吹き出した空気を周囲に拡散させることなく、効率よく天井付近まで到達させることを可能にするサーキュレータ用着脱式送風ガイドを提供することにある。
【課題を解決するための手段】
【０００６】
本発明によれば、空気を吸い込む吸込み口と空気を吹き出す吹出し口とを有し、吸込み口から吹出し口に至る空気流路を内部に有するフレームと、吸込み口から吸い込んだ空気を空気流路を通して吹出し口側に移動させて吹出し口から外部に吹き出す空気流を生じさせる送風機とを備えたサーキュレータに取り付ける送風ガイドが提供される。
【０００７】
本発明に係る送風ガイドは、サーキュレータの吹出し口の開口面積以上の開口面積を有する開口部を備えた後端部と、サーキュレータの吹出し口の開口面積よりも狭い開口面積を有する空気送出口を備えた前端部と、後端部と前端部との間をつなぐ周壁部とを有する中空のフード部を具備して、サーキュレータの吹出し口をフード部の内側に開口させた状態でフード部の後端部がサーキュレータのフレームに着脱可能に取り付けられるように構成され、フード部の後端部をサーキュレータのフレームに取り付けた状態でサーキュレータを動作させたときにサーキュレータの吹出し口からフード部内に流入した空気をフード部の空気送出口を通して外部に送出するように構成される。
【０００８】
上記のように構成すると、サーキュレータの吹出し口から吹き出した空気を、サーキュレータの吹出し口よりも更に高い位置で部屋の天井部に向けて送出することができるため、サーキュレータから吹き出した空気が部屋内にいる人に向けて流れるのを抑制することができる。
【０００９】
本発明の好ましい態様では、サーキュレータの吹出し口の以上の開口面積を有する開口部を備えた後端部と、サーキュレータの吹出し口の開口面積よりも狭い開口面積を有する空気送出口を備えた前端部と、後端部と前端部との間をつなぐ周壁部とを有する中空のフード部と、フード部の前端部に連続した基部と該基部から離れた位置で外部に開口する排気口を有する先端部とを有してフード部の前端部からフード部と反対側に突出して延びる管状部とを具備して、サーキュレータの吹出し口をフード部の内側に開口させた状態でフード部の後端部がサーキュレータのフレームに着脱可能に取り付けられるように構成され、フード部の後端部をサーキュレータのフレームに取り付けた状態でサーキュレータを動作させたときに、該サーキュレータの吹出し口から吹き出した空気をフード部内と管状部内とを通して外部に排出するように構成される。
【００１０】
上記のように、フード部とフード部の前端部からフード部と反対側に突出して延びる管状部とを設けておくと、排気口をフード部の前端部よりも更に高い位置に配置することができるため、サーキュレータから吹き出した空気が部屋内にいる人に向けて流れるのを、フード部のみを設けた場合よりも更に確実に防ぐことができる。また管状部が有する煙突効果により、サーキュレータから吹き出した空気を高い位置に到達させることができるため、大量の空気を天井部付近に到達させて部屋内の空気の循環を促進することができ、部屋内の温度分布の均一化を効率よく図ることができる。
【００１１】
本発明の好ましい態様では、サーキュレータが送風を停止しているときにフード部がすぼんだ状態になり得るように、フード部が可撓性を有する材料により形成され、サーキュレータが送風しているときにフード部が膨らんだ状態を保持してサーキュレータの吹出し口からフード部内に流入した空気を空気送出口を通して送出するように構成される。
【００１２】
上記のように、可撓性を有する材料によりフード部を構成して、サーキュレータが送風を停止しているときにフード部がすぼんだ状態になり得るようにしておくと、サーキュレータが送風を停止しているときに送風ガイドをたたんでコンパクトな状態にすることができるため、送風ガイドが邪魔になるのを防ぐことができる。
【００１３】
上記可撓性を有する材料は合成樹脂シートか、又は織布であることが好ましい。
【００１４】
フード部を可撓性を有する材料により構成する場合、フード部の後端部は、サーキュレータのフレームを外側から囲むことができるように設けることが好ましい。この場合、フード部の後端部でサーキュレータのフレームの少なくとも吹出し口寄りの部分を囲んだ状態でフード部の後端部をサーキュレータのフレームに緊縛して、フード部をサーキュレータのフレームに取り付けるようにするのが好ましい。
【００１５】
本発明の他の好ましい態様では、フード部の後端部が、サーキュレータのフレームの少なくとも吹出し口寄りの部分を外側から囲むことができるように設けられて、フード部の後端部が、サーキュレータのフレームの少なくとも吹出し口寄りの部分を囲んだ状態で配置され、フード部の後端部にフックが取り付けられて、該フックがサーキュレータのフレームの吸込み口に引っ掛けられることにより、フード部がサーキュレータのフレームに固定される。
【００１６】
本発明の他の好ましい態様では、フード部の後端部に、サーキュレータのフレームの吹出し口の周辺部に突き当てられる突き当て部が設けられて、この突き当て部にフックが取り付けられ、突き当て部がサーキュレータのフレームの吹出し口の周辺部に突き当てられた状態で、フックがサーキュレータのフレームに設けられた吸込み口に引っ掛けられることにより、フード部がサーキュレータのフレームに固定される。
【００１７】
本発明の他の好ましい態様では、通気性を有する材料からなっていてサーキュレータの吸込み口の少なくとも一部を覆う状態でサーキュレータのフレームを包み込む裾部がフード部の後端部に連続して設けられている。
【００１８】
上記のように、通気性を有する材料からなっていてサーキュレータの吸込み口の少なくとも一部を覆う状態でサーキュレータのフレームを包み込む裾部をフード部の後端部に連続して設けておくと、通気性を有する裾部がフィルタとして機能して、床面にある塵がサーキュレータ内に吸い込まれるのを抑えるので、サーキュレータから天井部に向けて塵が吹き上げられるのを抑制することができる。
【００１９】
上記のように、通気性を有する材料からなっていてサーキュレータの吸込み口の少なくとも一部を覆う状態でサーキュレータのフレームを包み込む裾部をフード部の後端部に連続して設ける場合、裾部のフード部と反対側の端部を紐により巾着絞りすることによりフード部をサーキュレータのフレームに固定する構造とすることができる。
【００２０】
本発明の更に他の好ましい態様では、フード部が後端部側から前端部に向うに従って内径が連続的に小さくなっていくように形成されていて、サーキュレータの吸込み口の径に応じてフード部が切断されることにより、サーキュレータのフレームに取り付けることができるフード部の後端部が形成される。
【００２１】
上記のように、サーキュレータの吸込み口の径に応じてフード部を切断することにより、サーキュレータの吸込み口に整合するフード部の後端部を形成し得るようにしておくと、１種類の送風ガイドを用意しておくだけで、種々の径方向寸法を有するフレームを備えた複数種類のサーキュレータに適応することができる。
【発明の効果】
【００２２】
本発明に係る送風ガイドを用いれば、サーキュレータの吹出し口から吹き出した空気を、サーキュレータの吹出し口よりも更に高い位置で部屋の天井部に向けて排出させて、サーキュレータから吹き出した空気が部屋内にいる人に向けて流れるのを抑制することができるため、人に不快感を与えることなく室内の温度の均一化を図ることができる。
【００２３】
特に請求項２に記載された発明によれば、フード部とフード部の前端部からフード部と反対側に突出して延びる管状部とを設けて、フード部の前端部よりも更に高い位置に配置された環状部の先端の排気口から空気を排出させるようにしたため、サーキュレータから吹き出した空気が部屋内にいる人に向けて流れるのを、フード部のみを設けた場合よりも更に確実に防ぐことができる。また管状部が有する煙突効果により、サーキュレータから吹き出した空気を高い位置に到達させることができるため、大量の空気を天井部付近に到達させて部屋内の空気の循環を促進することができ、部屋内の温度分布の均一化を効率よく図ることができる。
【００２４】
また請求項３に記載された発明によれば、サーキュレータが送風を停止しているときにフード部がすぼんだ状態になるように、フード部が可撓性を有する材料により形成されているため、サーキュレータが送風を停止いているときに、フード部をしぼんだ状態にして送風ガイドをコンパクトな状態にたたむことができる。サーキュレータが送風しているときにはフード部を膨らんだ状態を保持してサーキュレータの吹出し口から吹き出した空気をフード部内を通して外部に排出させることができる。
【００２５】
更に請求項９に記載された発明によれば、通気性を有する材料からなっていてサーキュレータの吸込み口の少なくとも一部を覆う状態でサーキュレータのフレームを包み込む裾部をフード部の後端部に連続して設けて、通気性を有する裾部をフィルタとして機能させることにより、床面にある塵がサーキュレータ内に吸い込まれるのを妨げるようにしたので、サーキュレータから天井部に向けて塵が吹き上げられるのを抑制して、部屋の空気が汚れるのを防ぐことができる。
【図面の簡単な説明】
【００２６】
【図１】（Ａ）は本発明に係る送風ガイドを適用し得るサーキュレータの構造の一例を、一部を切り欠いて概略的に示した正面図、（Ｂ）は（Ａ）の左側面図である。
【図２】（Ａ）は本発明に係る送風ガイドを適用し得るサーキュレータの構造の他の例を概略的に示した正面図、（Ｂ）は（Ａ）の左側面図である。
【図３】本発明の第１の実施形態に係る送風ガイドを図１に示されたサーキュレータに取り付けた状態を示した側面図である。
【図４】本発明の第２の実施形態に係る送風ガイドを図１に示されたサーキュレータに取り付けた状態を示した側面図である。
【図５】本発明の第３の実施形態に係る送風ガイドを図１に示されたサーキュレータに取り付けた状態を示した側面図である。
【図６】本発明の第４の実施形態に係る送風ガイドを図１に示されたサーキュレータに取り付けた状態を示した正面断面図である。
【図７】図６の側面図である。
【図８】本発明の第５の実施形態に係る送風ガイドを図２に示されたサーキュレータに取り付けた状態を示した正面図である。
【図９】図８の左側面図である。
【図１０】本発明の第６の実施形態に係る送風ガイドの正面図である。
【発明を実施するための形態】
【００２７】
以下図面を参照して本発明に係る送風ガイドの実施形態を説明するが、送風ガイドの実施形態を説明する前に、本発明に係る送風ガイドを適用し得るサーキュレータについて説明しておく。一般に用いられているサーキュレータは、空気を吸い込む吸込み口と空気を吹き出す吹出し口とを有し、吸込み口から吹出し口に至る空気流路を内部に有するフレームと、吸込み口から吸い込んだ空気を空気流路を通して吹出し口側に流して吹出し口から外部に吹き出す空気流を生じさせる送風機とを備えた構成を有している。送風機としては、軸流送風機、遠心送風機、多翼送風機等が用いられる。
【００２８】
図１（Ａ）及び（Ｂ）は軸流送風機を用いたサーキュレータ１の一例を示したものである。図示のサーキュレータ１は、空気を吸い込む吸込み口２と空気を吹き出す吹出し口３を有して、吸込み口２から吹出し口３に至る空気流路４を内部に有するほぼ円筒状のフレーム５と、フレーム５の内側に配置されて吸込み口２から吸い込んだ空気を空気流路４を通して吹出し口３側に流して、吹出し口３から外部に流出する空気流を生じさせる送風機６とを備えている。図示の例では、フレーム５の軸線方向の一端に設けられた底壁部を貫通させて複数の吸込み口２が設けられるとともに、フレーム５の軸線方向の一端寄りの周壁部を貫通させてフレームの周方向に並ぶ多数の吸込み口２が設けられている。この例では、送風機６が、軸流送風羽７と、送風羽７を駆動するモータ８とからなっている。
【００２９】
フレーム５を支持するため、板状の基部１０と、フレーム５を間に配置し得る間隔を隔てて基部１０から起立した一対の支持脚１１，１１とを有する支持台１２が設けられている。フレーム５は、吹出し口３の開口方向を支持台１２の支持脚１１，１１の対向方向に対して直角な方向に向けた状態で支持脚１１，１１の間に配置され、支持脚１１，１１を貫通した支持軸１３，１３により、フレーム５が支持脚１１，１１に回動自在に支持されている。支持軸１３，１３の外周にはネジ部が設けられ、支持脚１１，１１を貫通して外部に導出された支持軸１３，１３のネジ部に、回転つまみ１４，１４に埋め込まれたナットが螺合され、吹出し口３を所望の方向に向けるようにフレーム５の向きを調整した後に、つまみ１４，１４を回して支持脚１１，１１をフレーム５に対して締め付けることにより、フレーム５を固定することができるようになっている。
【００３０】
図２（Ａ）及び（Ｂ）は、遠心送風機を用いたサーキュレータ１′の一例を示している。このサーキュレータは、円筒状のフレーム本体５ａ′と、フレーム本体５ａ′の側部から外側に突出した状態で設けられてフレーム本体内に一端が連通した空気流路が内部に形成された空気流路形成部５ｂ′と、フレーム本体５ａ′の軸線方向の他端側に設けられたモータ収納部５ｃ′とを一体に有するフレーム５′と、フレーム５′内に収容された遠心送風機６′とを備えている。フレーム本体５ａ′の軸線方向の一端に吸込み口２′が形成され、空気流路形成部５ｂ′の他端に吹出し口３′が形成されている。遠心送風機６′は、フレーム本体５ａ′内に収容されてフレーム５′に回転自在に支持された遠心送風羽７′と、フレーム５′のモータ収納部５ｃ′内に収納されて送風羽７′を駆動するモータ（図示せず。）とからなっていて、吸込み口２′から吸い込んだ空気を、吸気流路形成部５ｂ′内の空気流路を通して吹出し口３′から外部に吹き出させる。
【００３１】
フレーム５′を支持するため、板状の基部１０′と、フレーム５′を間に配置し得る間隔を隔てて基部１０′から起立した一対の支持脚１１′，１１′とを有する支持台１２′が設けられている。フレーム５′は、その吹出し口３′の開口方向を支持台１２′の支持脚１１′，１１′の対向方向に対して直角な方向に向けた状態で支持脚１１′，１１′の間に配置され、支持脚１１′，１１′を貫通した支持軸１３′，１３′により、フレーム５′が支持脚１１′，１１′に回動自在に支持されている。支持軸１３′、１３′の外周にはネジが設けられ、支持脚１１′，１１′を貫通して外部に導出された支持軸１３′，１３′のネジ部に回転つまみ１４′，１４′に埋め込まれたナットが螺合され、吹出し口３′を所望の方向に向けるようにフレーム５′の向きを調整した後に、つまみ１４′，１４′を回して支持脚１１′，１１′をフレーム５′に対して締め付けることにより、フレーム５′を固定することができるようになっている。
【００３２】
図３を参照すると、図１（Ａ），（Ｂ）に示されたサーキュレータ１に取り付けるのに適した本発明の第１の実施形態に係る送風ガイド２０が示されている。本実施形態に係る送風ガイド２０は、中空のフード部２１と、管状部２２とからなっている。フード部２１は、サーキュレータ１の吹出し口３の開口面積以上の開口面積を有する開口部２１a1を備えた後端部２１ａと、サーキュレータ１の吹出し口３の開口面積よりも狭い開口面積を有する空気送出口２１b1を備えた前端部２１ｂと、後端部２１ａと前端部２１ｂとの間をつなぐ周壁部２１ｃとからなり、管状部２２は、フード部２１の前端部２１ｂに連続した基部２２ａと、該基部から離れた位置で外部に開口する排気口２２b1を有する先端部２２ｂとを有して、フード部２１の前端部２１ｂからフード部２１と反対側に突出して延びるように設けられている。フード部２１は、その後端部２１ａから前端部２１ｂ側に向うに従って内径が徐々に小さくなっていくように形成され、管状部２２は、その基部２２ａから先端部２２ｂに向って、均一な内径をもって直線的に延びるように形成されている。本実施形態の送風ガイドは、例えば、フード部２１の長さと管状部２２の長さとの和が１ｍないし１．５ｍ程度になるように構成される。
【００３３】
本実施形態の送風ガイド２０は、サーキュレータ１の吹出し口３をフード部２１の内側に開口させた状態でフード部２１の後端部がサーキュレータ１のフレーム５に適宜の手段により固定されることにより、サーキュレータ１に着脱可能に取り付けられる。本実施形態の送風ガイド２０を床面Ｆに設置されたサーキュレータ１に取り付けた状態でサーキュレータ１を駆動すると、サーキュレータ１の吹出し口から吹き出した空気がフード部２１内と管状部２２内とを通して外部に排出されるため、サーキュレータの吹出し口３から吹き出した空気を、フード部２１の長さと管状部２２の長さとを加えた分だけサーキュレータの吹出し口３よりも高い位置に配置された排気口２２b1から部屋の天井部に向けて送出することができ、サーキュレータ１から吹き出した空気が部屋内にいる人に向けて流れるのを防ぐことができる。
【００３４】
上記の送風ガイド２０の各部のうち、少なくともフード部２１は、サーキュレータ１が送風を停止しているときにすぼんだ状態になり得るように、可撓性を有する材料により形成される。本実施形態では、フード部２１及び管状部２２の双方が可撓性を有する材料からなっていて、サーキュレータ１が送風を停止いているときにフード部２１及び管状部２２の双方がすぼんだ状態になるようになっている。上記可撓性を有する材料としては、ポリエチレンシートのような合成樹脂シートか、十分に目が細かい織布を用いることが好ましい。織布としては、サーキュレータから送風ガイド内に空気が流入した際に送風ガイドが膨らむのを許容するのに十分な程度に目が細かいものを用いる。織布としては、例えば靴下の素材とする布を用いることができる。
【００３５】
本実施形態のように、送風ガイド２０の少なくともフード部を可撓性を有する材料により形成した場合、送風ガイド２０はサーキュレータ１が送風を停止しているときに、可撓性を有する材料により形成した部分がすぼんだ状態に保持されるが、サーキュレータ１が送風しているときには図３に示されたように、可撓性を有する材料により形成した部分が膨らんだ状態を保持して、サーキュレータ１の吹出し口から吹き出した空気を、フード部２１内と管状部２２内とを通して送出する機能を果たす。送風ガイド２０を織布により構成した場合、織布の網目をとおして僅かに空気が周囲に流出するが、その網目を十分に細かくしておけば、その流出量は、サーキュレータに送風ガイドを取り付けない場合に、サーキュレータの吹出し口から周囲に流れる空気流に比べるとごく僅かであり、サーキュレータの近傍に居る人に不快感を与える程の空気が周囲に流出することはない。
【００３６】
上記のように、可撓性を有する材料によりフード部を構成して、サーキュレータが送風を停止しているときにフード部がすぼんだ状態になり得るようにしておくと、サーキュレータが送風を停止しているときに送風ガイドをたたんでコンパクトな状態にすることができるため、送風ガイドが邪魔になるのを防ぐことができる。フード部２１だけでなく、管状部２２も可撓性を有する材料により構成しておくと、サーキュレータが送風を停止しているときに管状部２２もたたむことができるため、送風ガイドをいっそうコンパクトな状態にすることができる。
【００３７】
フード部２１の後端部をサーキュレータ１のフレームに取り付ける方法は任意であるが、図３に示したように、フード部２１の後端部がサーキュレータ１のフレーム５の少なくとも吹出し口３寄りの部分を外側から囲むことができるように設けられる場合には、フード部２１の後端部でサーキュレータ１のフレーム５の少なくとも吹出し口３寄りの部分を囲んだ状態で、フード部２１の後端部をバンドや紐などの緊縛手段２３によりサーキュレータのフレーム５に緊縛することにより、フード部２１をサーキュレータのフレーム５に取り付けることができる。
【００３８】
図４は、図１に示されたサーキュレータ１に取り付けるのに適した本発明に係る送風ガイド２０の第２の実施形態を示したものである。この実施形態では、フード部２１の後端部２１ａが、サーキュレータのフレーム５の少なくとも吹出し口３寄りの部分を外側から囲むことができるように筒状に形成されている。フード部２１の後端部２１ａと前端部２１ｂとの間をつなぐ周壁部２１ｃは円錐状を呈するように形成され、フード部２１の前端部２１ｂには、管状部２２の基部２２ａが一体化されている。フード部２１の後端部２１ａには、サーキュレータのフレームの周方向に間隔をあけて配置された多数のフック２４，２４，…が紐２５，２５，…を介して取り付けられ、フック２４，２４，…が、サーキュレータ１の吸込み口２に引っ掛けられることにより、フード部２１がサーキュレータのフレーム５に固定されている。
【００３９】
フード部２１と管状部２２とは可撓性を有する材料により形成され、サーキュレータ１が送風を行っている状態では、図示のようにフード部２１と管状部２２とが膨らんだ状態を保持して送風ガイドとしての機能を果たすが、サーキュレータ１が送風を停止している状態では、フード部２１及び管状部２２がすぼんだ状態になって、コンパクトにたたむことができるようになっている。その他の点は、図３に示した実施形態と同様に構成されている。
【００４０】
図５は、図１に示されたサーキュレータ１に取り付けるのに適した本発明に係る送風ガイド２０の第３の実施形態を示したものである。この実施形態では、フード部２１の後端部に、サーキュレータ１のフレーム５の吹出し口３の周辺部に突き当てられる突き当て部２１a2が設けられている。突き当て部２１a2には、フレーム５の周方向に間隔を隔てて配置された多数のフック２４，２４，…が紐２５，２５，…を介して取り付けられ、突き当て部２１a2がサーキュレータのフレーム５の吹出し口３の周辺部に突き当てられた状態で、フック２４がサーキュレータのフレーム５に設けられた吸込み口２に引っ掛けられることにより、フード部２１がサーキュレータのフレーム５に固定される。その他の点は、図４に示した実施形態と同様に構成されている。
【００４１】
図６及び図７は、図１に示されたサーキュレータ１に取り付けるのに適した本発明に係る送風ガイド２０の第４の実施形態を示したものである。この実施形態では、織布のような通気性を有する材料からなっていてサーキュレータ１の吸込み口２の少なくとも一部を覆う状態でサーキュレータのフレームを包み込む裾部２１ｄがフード部の後端部２１ａに連続して設けられている。図示の例では、裾部２１ｄが、支持脚１１，１１を避けた状態でサーキュレータ１のフレーム５の外周面と、底面の吸込み口２が設けられた部分とを覆うように設けられ、フレーム５の底面側で裾部２１ｄのフード部２１と反対側の端部が紐２６により巾着絞りされることにより、フード部２１がサーキュレータのフレーム５に取り付けられている。その他の点は、図３ないし図５に示した実施形態と同様に構成されている。
【００４２】
本実施形態の様に構成すると、通気性を有する裾部２１ｄをフィルタとして機能させて、床面にある塵が吸込み口２からサーキュレータ１内に吸い込まれるのを妨げることができるため、サーキュレータから天井部に向けて塵が吹き上げられるのを抑制して、部屋の空気が汚れるのを防ぐことができる。
【００４３】
図８及び図９を参照すると、図２（Ａ）及び（Ｂ）に示したサーキュレータ１′に取り付けるのに適した本発明に係る送風ガイドの第５の実施形態を示したものである。本実施形態に係る送風ガイド２０′は、中空のフード部２１′と、管状部２２′とからなっている。フード部２１′は、サーキュレータ１′の吹出し口３′の開口面積以上の開口面積を有する開口部２１a1′を備えた後端部２１ａ′と、サーキュレータ１′の吹出し口３′の開口面積よりも狭い開口面積を有する空気送出口２１b1′を備えた前端部２１ｂ′と、後端部２１ａ′と前端部２１ｂ′との間をつなぐ周壁部２１ｃ′とからなり、管状部２２′は、フード部２１′の前端部２１ｂ′に連続した基部２２ａ′と、該基部から離れた位置で外部に開口する排気口２２b1′を有する先端部２２ｂ′とを有して、フード部２１′の前端部２１ｂ′からフード部２１′と反対側に突出して延びるように設けられている。
【００４４】
フード部２１′の周壁部２１ｃ′は、その断面の輪郭形状が、サーキュレータ１′の吹出し口３′の輪郭形状に相似な矩形状を呈るように形成されていて、その後端部２１ａ′から前端部２１ｂ′側に向うに従って断面積が徐々に小さくなっていくように形成されている。また管状部２２′は、その基部２２ａ′から先端部２２ｂ′に向って、均一な内径をもって直線的に延びるように形成されている。管状部２２′の横断面の輪郭形状は矩形又は正方形でもよく、円形又は楕円形等でもよい。フード部２１′の後端部２１ａ′は、サーキュレータ１′のフレーム５′の吹出し口３′寄りの部分を外側から囲むことができるように設けられ、フード部２１の後端部２１ａ′がバンドや紐などの緊縛手段によりサーキュレータのフレーム５に緊縛されることにより、フード部２１′がサーキュレータ１′のフレーム５′に取り付けられている。その他の点は、図３に示された実施形態と同様であり、フード部２１′及び管状部２２′は可撓性を有する材料により形成されている。
【００４５】
図１０を参照すると、本発明に係る送風ガイドの第６の実施形態が示されている。本実施形態においては、フード部２１が、後端部２１ａ側から前端部２１ｂに向うに従って内径が連続的に小さくなっていくように形成されている。この例では、フード部２１が十分に大きい長さを有するように形成されていて、サーキュレータ１の吹出し口３の径に適合するように、フード部２１をその長手方向の途中の部分で切断することにより、種々の寸法を有するサーキュレータのフレームに適合する送風ガイドを得ることができるようになっている。例えば、フード部２１を切断しないことにより、大型のサーキュレータに適合するように、フード部２１の後端部２１ａの開口面積を最も大きくすることができ、フード部２１を図示のＡ−Ａ線、Ｂ−Ｂ線又はＣ−Ｃ線に沿って切断することにより、フード部の後端部２１ａの開口面積を３段階に切り換えることができる。
【００４６】
上記の各実施形態では、フード部２１と管状部２２とにより送風ガイド２０を構成したが、フード部２１の長さを十分に長くすることにより、管状部２２を省略して、フード部２１のみにより送風ガイドを構成することもできる。
【００４７】
また上記の各実施形態では、フード部２１及び管状部２２を可撓性を有する材料により構成して、サーキュレータが送風を行っていないときに送風ガイドがすぼんだ状態になり得るようにしたが、フード部２１のみを可撓性を有する材料により構成し、管状部２２は自立性を有する材料により構成してもよい。
【００４８】
また本発明は、少なくともフード部を可撓性を有する材料により構成する場合に限定されるものではなく、フード部２１及び管状部２２の双方を、プラスチックや金属板等の硬質の材料により構成してもよい。
【００４９】
フード部２１及び管状部２２を硬質の材料により構成する場合、管状部２２の先端の排出口に、布やプラスチックフィルムなどからなる少なくとも一つの短冊状の細片を取り付けて吹き流しを構成しておくことが好ましい。フード部２１及び管状部２２を硬質の材料により構成した場合、サーキュレータから風がでていても目視により確認できないが、上記のように吹き流しを構成しておくと、サーキュレータを動作させた際に、当該吹き流しをひらひらと動かすことができるため、サーキュレータが動作中であることを目視により確認することが可能になる。
【図１】
2014142075.tif 000003
【図２】
2014142075.tif 000004
【図３】
2014142075.tif 000005
【図４】
2014142075.tif 000006
【図５】
2014142075.tif 000007
【図６】
2014142075.tif 000008
【図７】
2014142075.tif 000009
【図８】
2014142075.tif 000010
【図９】
2014142075.tif 000011
【図１０】
2014142075.tif 000012